(57)【特許請求の範囲】
【請求項１】
海上に浮遊設置されるプールであって、該プールには上向流のみを通過させる逆止弁を備えてなる海洋深層水採取装置が付設されてなり、またプールの側部に釣り設備を備え、そしてその側部に海水面への海洋深層水排出機構を備え、かつ海洋深層水の排水口を釣り設備近傍に配設してなることを特徴とする海洋深層水利用海上プール。
【請求項２】
海上に浮遊設置されるプールであって、該プールには上向流のみを通過させる逆止弁を備えてなる海洋深層水採取装置が付設されてなり、またプールの側部に釣り設備を備え、そしてその側部に海水面への海洋深層水排出機構を備え、かつ海洋深層水の排水口を釣り設備近傍に配設してなり、さらに該プールは係留装置で特定個所に係留されてなることを特徴とする海洋深層水利用海上プール。
【請求項３】
海上に浮遊設置されるプールであって、該プールには上向流のみを通過させる逆止弁を備えてなる海洋深層水採取装置が付設されてなり、またプールの側部に釣り設備を備え、そしてその側部に海水面への海洋深層水排出機構を備え、かつ海洋深層水の排水口を釣り設備近傍に配設してなり、さらに該プールは推進装置を備えてなることを特徴とする海洋深層水利用海上プール。
【請求項４】
プールが水中を観察するため所々透明な材料で構成され、さらに底面には攻撃性の高い生物の攻撃防御用の多数の突起体が垂設されてなることを特徴とする請求項１〜３のいずれか１項に記載の海洋深層水利用海上プール。
【請求項５】
海上プールが、ダイビング用の深さを備えてなり、かつ遊泳用の深さに仕切りを設けてなることを特徴とする請求項１〜４のいずれか１項に記載の海洋深層水利用海上プール。
【発明の詳細な説明】
【０００１】
【発明の属する技術分野】
本発明は、海上プールに係り、特に海洋深層水を用いる海上プールに関する。
【０００２】
【従来の技術及び発明が解決しようとしている課題】
従来、プールは地上又は室内あるいは船内・船上等に設置されていた。また、プールには淡水、水道水が用いられていた。そして、その衛生保持のために、塩素やオゾン等の滅菌用薬剤を投入することが義務づけられている。
しかし、前記衛生保持のために投入される前記薬剤は、泳者の目や肌に刺激を与えることとなり、泳者に痛みや不快感を与えるという問題があった。
他方、プールは、一般的に、地上や構造物内に設置され、四方をコンクリート壁で囲われているために、海辺での遊泳と比べ、開放感に欠ける問題があった。
そのため、自然環境の中で、安全に遊泳でき、かつ健康増進に役立つプールやその関連施設の提供が、求められていた。
【０００３】
【課題を解決するための手段】
本発明は前記問題の解決を目的とするものであって、清浄な海洋深層水を利用した海上プール、その他関連施設を提供しようとするものである。
すなわち、本発明は、
（１）海上に浮遊設置されるプールであって、該プールには上向流のみを通過させる逆止弁を備えてなる海洋深層水採取装置が付設されてなり、またプールの側部に釣り設備を備え、そしてその側部に海水面への海洋深層水排出機構を備え、かつ海洋深層水の排水口を釣り設備近傍に配設してなることを特徴とする海洋深層水利用海上プール。
（２）海上に浮遊設置されるプールであって、該プールには上向流のみを通過させる逆止弁を備えてなる海洋深層水採取装置が付設されてなり、またプールの側部に釣り設備を備え、そしてその側部に海水面への海洋深層水排出機構を備え、かつ海洋深層水の排水口を釣り設備近傍に配設してなり、さらに該プールは係留装置で特定個所に係留されてなることを特徴とする海洋深層水利用海上プール。
（３）海上に浮遊設置されるプールであって、該プールには上向流のみを通過させる逆止弁を備えてなる海洋深層水採取装置が付設されてなり、またプールの側部に釣り設備を備え、そしてその側部に海水面への海洋深層水排出機構を備え、かつ海洋深層水の排水口を釣り設備近傍に配設してなり、さらに該プールは推進装置を備えてなることを特徴とする海洋深層水利用海上プール。
（４）プールが水中を観察するため所々透明な材料で構成され、さらに底面には攻撃性の高い生物の攻撃防御用の多数の突起体が垂設されてなることを特徴とする前記（１）〜（３）のいずれか１項に記載の海洋深層水利用海上プール。
（５）海上プールが、ダイビング用の深さを備えてなり、かつ遊泳用の深さに仕切りを設けてなることを特徴とする前記（１）〜（４）のいずれか１項に記載の海洋深層水利用海上プール。
【０００６】
【発明の実施の形態】
ここで、本願発明の実施の形態について図に基づいて説明する。
図１は、本発明の海洋深層水利用海上プール及びその周辺施設の説明図であり、図２は本発明の海洋深層水利用海上プールの一例の斜視図である。また、図３は、本発明の海洋深層水利用海上プールの他の例の断面図であり、図４は、本発明の海洋深層水利用海上プールのさらに他の例の斜視図である。図５は、本発明の海洋深層水利用海上プールの周辺施設の説明図であり、図６は本発明における深層水の利用状態のフロチャートである。
図中、１は本発明の海洋深層水利用海上プール、２は海洋深層水採水管、２ａは採水口、２ｂは給水口、３は係留装置の錨（アンカー）であり、３ａは係留装置の錨と海上プールを繋ぐロープである。
また、５ａ・５ｂ・５ｃ・５ｄはポンプ、６は海洋深層水揚水機構、７は海洋深層水排水機構、７ａは排水口、８はプールを浮遊させるためのフロート、９は海上プール移動用推進装置のスクリューであり、１０はプール底面に突設された突起体、１０ａは薄板状の揺動防止板である。
そして、１１はロープ、１２は海洋深層水貯留槽、１３は浜辺に設けられた深層水陸上プール、１４は淡水化装置、１５は杭、１６は浜辺に構築された宿泊施設のホテルである。
さらに、１７は海上の側部に備えられた釣り設備、１８は微細気泡発生手段、１９は太陽光発電用光電変換素子膜、２０は仕切りであり、２１は分岐採水管、２２は海上プールデッキに設けられたシャワー、２３は風力発電手段、１ａはデッキ、１ｂは通気性遮光フェンスである。
【０００７】
本発明に係る海上に浮遊設置される海上プール１は、設置個所や用途に合わせて、大きさや形状を自由に設計することができる。
図１では、直方体の形状を図示しているが、円柱状や、立方体形状など、海上に浮遊できる形状であれば、任意に採用することができる。
そして、同海上プール１は海上に浮遊設置可能な構造に設計されるが、プール壁体の構成材料としては、木材、金属（好ましくはステンレススチール）、コンクリート、ガラス、合成樹脂などが挙げられ、独立気泡の多孔質材料、例えば発泡スチロールが好適材料として挙げられる。
該海上プール１は、プール内で遊泳中あるいは、プールサイド（デッキ１ａ）に滞在している時に、水中を観察できるように、所々透明な材料で構成されることが望ましい。強化プラスチック（ＦＲＰ）などの、強固でかつ水中の魚などが観察できるような透明の材料は、特に好ましい。
また、海上プール１の全面をガラスやプラスチックにする場合のほかに、一部、コンクリートなどの強固な材料を使用し、遊泳中等に水中を見やすい個所のみ、透明な材料を使うということもできる。金属、コンクリート等の強固な材料と透明なプラスチックやガラスなどを組み合わせ採用することにより、さらに強固な海上プール１を構成することができる。
さらに、海上プール１は、安全性を確保するために、フロート（浮輪、発泡スチロール等）８の浮力付加具を備えることもできる。例えば、海上プール１の周囲に、ゴム製の浮輪、使用済みタイヤ、発泡スチロール等のフロートを固定・包囲することも好ましい。
また、プールサイド（デッキ１ａ）の周囲に通気性遮光フェンス１ｂを設け、海上プール１上での安全性を高めることが望ましい。
【０００８】
そして、図１に示すごとく、海上プール１には採水管２、分岐採水管２１、海洋深層水揚水機構６、給水口２ｂを経て、採取された海洋深層水が充填される。
ここで、海洋深層水とは、太陽光線の届かない深度の海水のことであり、該海洋深層水は、水質の変動が少なく、安定していて、水温が５℃程度と低い。
また、光合成藻類（植物プランクトン）の成育に必要な無機塩類、特に燐酸塩、硝酸塩、硅酸塩が多く含まれ、かつそれらの組成比が安定しているのが、特徴である。さらに、魚介類に寄生する寄生虫や、微生物が少なく、重金属や人工的な汚染物質の影響が少ないので、清浄性が高いという特徴も有している。
そして、これら海洋深層水の特徴により、近年海洋深層水は、皮膚疾患、特にアトピー性皮膚病等の皮膚治療に有効であるとされてきている。
本発明の海上プールは、こうした海洋深層水の特徴を生かすべく、海洋深層水を有効的に利用することを目的としている。
【０００９】
次に各図に従って、本発明を説明する。
図１に示すごとく、本発明における海洋深層水の採水管２は、採水口２ａと給水口２ｂを備えており、採水口２ａは海中において海洋深層水を採取可能な箇所に設置され、そこで採取された深層水が、揚水機構６のポンプ５ａにより海上プール１へ給水口２ｂを介して給水される。そのため、海洋深層水の採水管２は、海上プール１へ海洋深層水を送水供給できる装置であればよい。
例えば、海中における海洋深層水の採取位置に、採水管２の先端の採水口２ａを敷設し、同採水管２の他端に設置された揚水機構６のポンプ５ａにより深層水を汲み上げ、同ポンプ５ａより送水管を介して給水口２ｂより、海上プール１へ海洋深層水が送水される構成の採取装置などである。
【００１０】
また、海上プール１には、錨３などの海上プール１を特定の個所に係留させておくための係留装置が備えられ、安全性を高めている。
海上プール１の大きさ、また係留位置により、海岸に係留用の杭１５を穿設し、海上プール１を強固なロープ１１等で繋着することにより、さらに安全性を高めることが可能となる。
【００１１】
さらに、海上プール１には、推進装置が備えられている。推進装置として、例えばスクリュー９を設置することにより、海上プール１を任意に移動可能としている。スクリュー９等の海上プール推進装置の駆動源として、同海上プール１に太陽光発電手段の太陽光発電用光電変換素子膜１９（図２参照）、あるいは風力発電手段２３（図４参照）が設置されることが望ましいが、スクリュー９等の駆動が可能であればよく、その方法は前述の手段に限定されない。
【００１２】
また、海上プール１には、その底面に多数の突起体１０が垂設されている。
海上プール１は、岸から離れた海上に浮遊させるため、海中からサメなどの攻撃性の高い生物からの攻撃を受ける場合が考えられる。海上プール１の安全性の万全を期すため、海上プール１の底面に、攻撃性の高い生物からの攻撃よけを備えることが望ましい。
例えば、海上プール１の底面に長尺の突起体１０を垂設することにより、海中生物からの攻撃から防御することができる。また、薄板状の揺動防止板１０ａを垂設することにより、海中からの生物の攻撃を防止するとともに、海上プール１の波の影響による揺動を防止することも可能となる。
軽量の突起体１０であれば、波や海中の流れにより、突起体１０が揺れ、攻撃性の高い生物に畏怖感を与えることができ、近寄ることを防止することができる。
海上プール１の底面に垂設する突起体１０は、海中の生物からの攻撃を防止することを目的としているので、攻撃を防止できるものであれば、その形状や取付方法を問わない。
また、攻撃性の高い生物（例えば、サメ）等の嫌悪する周波数を発生させる装置を備えることもできる。
【００１３】
ところで、海上プール１には、揚水機構６により、海底に敷設された採水管２の採水口２ａから、ポンプ５ａを介して、海洋深層水が給水される。
しかし、海上プール１内に給水され、充填された海洋深層水は、常時、清浄でなければ、海洋深層水の特質を損なってしまう。そのため、海上プール１には、排水機構７が備えられ、海洋深層水の流入と同時に、ポンプ５ｂにより排水をする構造としている。そして、海上プール１内の深層水を、常時清浄な状態に保ち、深層水の特質を最大限生かせる構造となっている。
また、排水機構７を設けることにより、深層水をすべて排水することもできるので、海上の移動時、または、海上プール１の清掃時の作業が容易となる。すべての海洋深層水の排水を容易とするために、海上プール１の底面に傾斜角を設けてもよい。
【００１４】
本発明における海洋深層水を利用した海上プール１は、あらゆる人が、安全で快適な時間を過ごせる施設であることを目的としている。また、自然を破壊することなく、自然に触れながら過ごせる時間を供給することを目的としている。
そのため、図２に示すごとく、海上プール１では、遊泳はもちろん、フィッシュウォッチングをしたり、プールサイドで日焼けをしたり、潮の香りの中で仮眠をとったり、また、身体の疲れをとることができるように、深層水を利用したバブル発生施設を設置することもできる。
そうした自然の中での快適な時間を過ごすための施設であることを目的としているので、例えば、海上プール１のサイドに釣り設備１７などを設けることも望ましく、特に海洋深層水の排水口７ａを釣り設備１７近傍に配設すると、魚類が深層水を好んで集合して来るので絶好の釣り場となる。
【００１５】
また、遊泳だけでなく、ダイビングを楽しめるよう、海上プール１の深さをダイビング用の深さを備えて設計することも可能である。その場合、海上プール１に、遊泳用の深さに仕切り２０（図３参照）を設けることにより、遊泳者の安全性も保持することができる。
海上プール１内のダイビングは、直接海に出て、ダイビングをするのと比べ、危険性が少なく、練習場としても最適である。
【００１６】
また、海上プール１内に、微細気泡発生手段を備えることもできる。
微細気泡発生装置１８を設置することにより、海上プール１内の深層水に空気を効率的に溶解することができ、水質を浄化することができるとともに、微細な気泡が深層水中に発生するので、優れた景観を遊泳者に提供することができる。
【００１７】
そして、本発明の海洋深層水利用海上プールは、太陽光発電手段（例えば太陽光発電用光電変換素子膜１９）（図２参照）や、風力発電手段２３（図４参照）など、自然を利用した発電手段を備え、スクリュー９などの推進装置の駆動や、揚水機構６のポンプ５ａ、排水機構７のポンプ５ｂなどの駆動に利用する構成とすることもできる。
太陽光を利用した発電には、例えば太陽電池式湧昇装置を利用する方法なども挙げられる。さらに、風力発電式湧昇装置を併用してもよい。
【００１８】
また、海上プール１は、海洋深層水の淡水化装置を備えることもできる。淡水化装置（図示せず）を備えることにより、海上プール１で遊泳した後や、休憩時に、海上プール１のデッキ１ａに設置されたシャワー２２より、淡水で身体を洗浄することができる。また、淡水なので、飲料用にも使用することができる。
もちろん、海上プール１内に脱塩した深層水を充填し、淡水の海洋深層水海上プールとすることもできる。
遊泳者は，海上プール１での遊泳時に、塩分を含んだ海洋深層水だけでなく、淡水化された深層水を利用することができるので、適宜、使い分けができ、海上プール１内及びデッキ１ａで快適な時間を過ごすことができる。
【００１９】
また、本発明の海洋深層水利用海上プール１の付設される海洋深層水採取装置に上向流のみを通過させる逆止弁（図示せず）を備えることにより、揚水した海上プール１内の深層水や、周辺施設へ供給される海洋深層水が逆流し、排水されることを防ぐことができる。
例えば、逆止弁を設けることにより、干潮時にサイフォン現象が生じ、一旦揚水された深層水が排水されること防止することができる。
【００２０】
ところで、本発明の海洋深層水利用海上プールは、その周辺に深層水を利用した施設を設けることにより、海洋深層水を利用した海上プールの遊泳のための来た人々に、海洋深層水のもつ特質を充分に提供することが可能となる。
図５に示すように、例えば、採水管２から海洋深層水を採水し、浜辺や海辺に設置された貯留槽１２と、同浜辺や海辺に設置された深層水利用の浜辺プール１３や、宿泊施設のホテル１６、飲食施設２４や理美容・健康増進施設２５等に付設された海洋深層水供給設備とを、導管で連結することにより、浜辺や海辺に設置された各施設においても、海洋深層水を利用することができる。
浜辺に設けられた海洋深層水利用の浜辺プール１３は、海洋深層水採取装置を付設することにより、採水管２から採水された海洋深層水を、貯留槽を経て利用することができる。浜辺に設けられた海洋深層水利用の浜辺プール１３は、海上の天候や時間等に左右されることなく、深層水プールで遊泳することができる。
例えば、深層水利用の浜辺プール１３に屋根部を設ければ、雨天でも快適に遊泳可能とすることもできるし、深夜に海の危険動物を意識することなく、遊泳することもできる。
また、採水管２から採取した海洋深層水を淡水化装置１４により淡水化することにより、脱塩処理をする前の深層水を利用する深層水利用の浜辺プール、脱塩処理をした後の淡水の深層水を利用する淡水深層水利用の浜辺プールのどちらでも遊泳可能となる。
さらに、宿泊施設等の近くに立設することができるので、海上プール１より手軽に深層水のプールで遊泳することが可能となる。
【００２１】
また、浜辺に宿泊施設を構築し、海洋深層水採取装置と導管により連結された海洋深層水供給設備を備えることにより、宿泊施設内の各種設備に海洋深層水を使用することもできる。
例えば、海洋深層水供給設備より宿泊施設のホテル１６内の浴室まで、深層水が供給できるように配管し、浴室のバスやシャワーの水に淡水と海洋深層水の両方を選択し、利用できるようにすることができる。
また、海洋深層水を淡水化装置１４で淡水化した深層水を、ホテル１６に供給できるようにすれば、ホテル１６内の飲料水にも利用でき、さらに調理等に利用されるのも望ましい。
【００２２】
さらに、前述のように、前記宿泊施設だけでなく、同様に浜辺に海洋深層水採取装置からの導管に連結された海洋深層水供給設備を設けた飲食施設２４や、理美容・健康増進施設２５を設置することもできる。
飲食施設２４としては、例えば、レストラン、バーなどが挙げられる。そこでは、海洋深層水をふんだんに利用して調理された料理や、後記深層水を利用した養殖施設２７で養殖した新鮮な魚などを提供することができる。
また、理美容・健康増進施設２５としては、深層水を利用したパックやマッサージ、洗髪が施されるエステサロンや理美容店、深層水シャワーやジャグジーを備えたスポーツジムなどが挙げられる。
【００２３】
本発明では、前記、浜辺に設けられた浜辺プール１３や宿泊施設（ホテル１６）等の周辺施設で使用された使用済み海洋深層水をさらに利用することも可能な構成となっている。
浜辺に設けられた浜辺プール１３の排水や、ホテル１６、飲食施設２４の排水、そして、理美容・健康増進施設２５等で使用された深層水の排水を、各施設の海洋深層水排出口から導管に連結された海洋深層水供給設備の排水処理装置２６にて、排水処理をおこない他の施設に供給することができる。
例えば、図５に示すように、浜辺に設置された深層水浜辺プール１３、ホテル１６、飲食施設２４、理美容・健康増進施設２５で使用され排出された海洋深層水は、排水処理装置２６に集められ、浜辺や海辺に設置された養殖施設２７や、釣堀施設２８、水耕栽培施設２９に供給される。
【００２４】
前記各施設で使用された使用済み海洋深層水を利用した養殖施設２７を設置することにより、ホテル１６や飲食施設２４で提供する料理の食材として、海洋深層水で養殖された新鮮な魚等を使用することができる。
また、使用済み海洋深層水を利用した釣堀施設２８を設置することにより、深層水を無駄にすることなく、かつ深層水内の活力ある魚の釣りを楽しむことができる。
さらに、使用済み海洋深層水を利用した水耕栽培施設２９を設置することにより、深層水で育った栄養価の高い身体に良いとされる野菜や米を栽培することができ、ホテル１６や飲食施設２４で、提供する料理の食材とすることができる。
もちろん、前記、養殖施設２７や釣堀施設２８、水耕栽培施設２９に、ホテル１６や浜辺プールで使用した使用済み海洋深層水だけでなく、使用される前の海洋深層水を使用することも可能である。
また、使用対象に合わせて、淡水化装置１４で淡水化した深層水を各施設で使用することが望ましい。
【００２５】
ここで、海洋深層水の利用状態を採水並びに供給の流れとして、図６のフローシートで説明する。
海洋深層水は、採水管２を通り、切換弁４ａにより採水管２と分岐採水管２１とに分岐される。分岐採水管２１を通る深層水は、ポンプ５ａを介し海上プール１に送水される。
そして、採水管２を通る深層水は、ポンプ５ｃを介し、貯留槽１２に貯留される。貯留された深層水は、採水管を通り切替弁４ｂにより、分岐採水管２１ａと各施設へ深層水を送水する採水管とに分岐される。
分岐採水管２１ａを通る深層水は、淡水化装置１４へ送水され、淡水化装置１４で、脱塩処理が施され淡水の深層水となる。脱塩処理された塩は製塩装置３０で、製塩処理が施され、深層水から採取した塩を製造することができる。
そして、切替弁４ｃにより、淡水化された深層水をホテル１６や浜辺プール１３等の各施設へ送る送水管と、養殖施設２７や水耕栽培施設２９へ送水される送水管とに分岐され、各施設に設けられた切替弁により各施設に送水される。
一方、切替弁４ｂで分岐採水管２１ａに送水されなかった深層水は、淡水化されず、各施設に設置された切換弁により、ホテル１６、浜辺プール１３等の各施設に送水される。ホテル１６では、切替弁により飲料水やバス、シャワー等に送水される。
その際、ホテル１６内の各施設で、淡水化装置１４で淡水化された深層水と、淡水化処理されていない深層水との、適宜使い分けができるように配管が施されるのが望ましい。
【００２６】
また、ホテル１６、浜辺プール１３、飲食施設２４、理美容・健康増進施設２５等で使用された深層水は、排水処理装置２６に集められ、排水処理が施される。
そして、養殖施設２７や、釣堀施設２８、水耕栽培施設２９などの各施設に送水され、利用される構成となっている。
養殖施設２７や、釣堀施設２８等で、使用された深層水は、再び排水処理装置にて、排水処理が施され、再び各施設で使用するようにして、可能な限り深層水を有効に使用できる構成となっている。
このようにして、採取された海洋深層水をクローズドシステム的に利用すれば、利用排水を海洋へ放出することなく、自然環境の汚染を生じさせない２１世紀型の自然環境共生型技術となる。
【００２７】
【発明の効果】
上記のごとく、本発明の海洋深層水利用の海上プールによれば、下記のごとき効果が得られる。
（１）  開放感に優れた海洋上で、かつ健康増進に役立つ深層水に浸って海水浴ができるばかりでなく、海洋深層水採取装置が上向流のみを通過させる逆止弁を備えてなるため、一端揚水したプール内等の深層水が、例えば干潮によるサイフォン現象等で排水されることが防止でき、また、プールの側部に釣り設備と海洋深層水排出機構を備え、かつ海洋深層水の排水口を釣り設備近傍に配設してなるため、魚類が集合するので絶好の釣り場となる。
（２）  また、スクリュー等の推進装置を備えているものにあっては、海上プールを自力で所要場所へ移動することができ、例えば日中は海洋へ、夜間は海岸近くに移動することもできる。
（３）  さらに、プールが、その底面に攻撃性の高い生物の攻撃防御用の多数の突起体を垂設してなるものにあっては、鮫等の近接を阻止することもできる。
【図面の簡単な説明】
【図１】本発明の海洋深層水利用海上プール及びその周辺施設の説明図
【図２】本発明の海洋深層水利用海上プールの一例の斜視図
【図３】本発明の海洋深層水利用海上プールの他の例の断面図
【図４】本発明の海洋深層水利用海上プールのさらに他の例の斜視図
【図５】本発明の海洋深層水利用海上プールの周辺施設の説明図
【図６】本発明における深層水の流れのフロチャート
【符号の説明】
１    海洋深層水利用海上プール
１ａ  デッキ
１ｂ  通気性遮光フェンス
２    海洋深層水採水管
２ａ  採水口
２ｂ  給水口
３    係留装置の錨（アンカー）
３ａ  係留装置の錨と海上プールを繋ぐロープ
５ａ・５ｂ・５ｃ・５ｄ  ポンプ
６    海洋深層水揚水機構
７    海洋深層水排水機構
７ａ  排水口
８    プールを浮遊させるためのフロート
９    海上プール移動用推進装置のスクリュー
１０  プール底面に突設された突起体
１０ａ  薄板状の揺動防止板
１１    ロープ
１２    海洋深層水貯留槽
１３    浜辺に設けられた深層水陸上プール
１４    淡水化装置
１５    杭
１６    浜辺に構築された宿泊施設のホテル
１７    海上の側部に備えられた釣り設備
１８    微細気泡発生装置
１９    太陽光発電用光電変換素子膜
２０    仕切り
２１・２１ａ    分岐採水管
２２    海上プールデッキに設けられたシャワー
２４    飲食施設
２５    理美容・健康増進施設
２６    排水処理装置
２７    養殖施設
２８    釣堀施設
２９    水耕栽培施設
３０    製塩装置
【図１】
0004632006.tif 000002
【図２】
0004632006.tif 000003
【図３】
0004632006.tif 000004
【図４】
0004632006.tif 000005
【図５】
0004632006.tif 000006
【図６】
0004632006.tif 000007